(57)【要約】【課題】回路基板を素早く固定するための保持機構、及び前記の保持機構を有する電子装置を提供する。【解決手段】回路基板を保持するための保持機構、及び関連の電子装置は、保持体、第１の固定部品、第２の固定部品、及び第３の固定部品を含む。第１の固定部品は、第１の方向における回路基板の移動を抑制するために、回路基板の一方の端部をクリップするように、保持体の一方の支持壁に配置される。第２の固定部品は、第２の方向における回路基板の移動を抑制するために、回路基板のもう一方の端部に対して接するように、保持体のもう一方の支持壁に配置される。第３の固定部品は、保持体の基部に配置される。第３の固定部品の保持部分及びフックユニットは、それぞれ、回路基板の底部を保持するとともに、回路基板と保持部分とが分離することを防ぐように回路基板上の開口部に入る。【選択図】図２
2016149519.tif 000002
【特許請求の範囲】
【請求項１】
回路基板を保持するための保持機構であって、
基部、並びに、前記基部の対辺にそれぞれ配置された第１の支持壁及び第２の支持壁を有する保持体と、
前記基部に面している前記第１の支持壁の表面に配置されるとともに、第１の方向における前記回路基板の往復移動を抑制するために、前記回路基板の第１の端部をクリップするように構成される第１の固定部品と、
前記第１の方向と異なる第２の方向における前記回路基板の往復移動を抑制するために、一方の先端部が前記第１の支持壁に面している第２の支持壁の表面に弾力的に接続され、他方の先端部が前記第１の端部の反対側の前記回路基板の第２の端部に対して接している第２の固定部品と、
前記基部に配置され、前記第１の支持壁と前記第２の支持壁との間に設置されるとともに、前記回路基板の底部を保持するように構成される保持部分を備える第３の固定部品とを備える、保持機構。
【請求項２】
前記第１の固定部品が、前記第１の方向に沿うとともに相互に隣接して前記第１の支持壁に配置された第１の拘束部分及び第２の拘束部分を備え、前記回路基板の対向面が、前記第１の拘束部分及び前記第２の拘束部分によりそれぞれ保持されて圧迫される、請求項１に記載の保持機構。
【請求項３】
前記保持部分と前記基部との間の距離が、前記第１の拘束部分と前記基部との間の距離に実質的に等しい、請求項２に記載の保持機構。
【請求項４】
前記第２の固定部品が、相互に折り曲げられた第１の板状部分及び第２の板状部分を備え、前記第１の板状部分が、前記第２の支持壁と前記第２の板状部分との間に弾力的に配置され、前記第２の板状部分が、前記回路基板を斜めに圧迫するように構成される、請求項１に記載の保持機構。
【請求項５】
前記第３の固定部品が、前記保持部分の近くに隣接して配置されるフックユニットを更に備え、前記フックユニットが、前記回路基板と前記保持部分との相対移動を抑制するために、前記回路基板上に形成された開口部に対してフックされる、請求項１に記載の保持機構。
【請求項６】
前記フックユニットが、突起部と接触部とを備え、前記接触部が、前記保持部分に結合されており、前記突起部が、前記接触部の外側面に配置されるとともに、前記第２の固定部品の方に向いている、請求項５に記載の保持機構。
【請求項７】
前記回路基板上の前記開口部の内壁を前記接触部に対して当接させるように、前記第２の固定部品が前記回路基板を押す、請求項６に記載の保持機構。
【請求項８】
前記保持体が、前記第１の支持壁及び前記第２の支持壁とは異なる前記基部の辺に配置された第３の支持壁を更に備え、当該保持機構が、前記回路基板を前記第１の方向及び前記第２の方向とは異なる第３の方向に動かすために、一方の先端部が前記第３の支持壁に弾力的に接続され、他方の先端部が前記第１の端部及び前記第２の端部とは異なる前記回路基板の第３の端部に対して接している第４の固定部品を更に備える、請求項１に記載の保持機構。
【請求項９】
前記第４の固定部品が、弓形の板、平らな板、又は屈曲した板である、請求項８に記載の保持機構。
【請求項１０】
前記第１の固定部品、前記第２の固定部品、前記第３の固定部品、及び前記第４の固定部品が、プレス打抜き加工により前記保持体に形成される、請求項８に記載の保持機構。
【請求項１１】
簡単取り付け機能を有する電子装置であって、
筐体と、
回路基板と、
前記筐体の中に前記回路基板を保持するための保持機構とを備え、
前記保持機構が、
前記回路基板を収容するために前記筐体の中に配置されるとともに、基部、並びに、前記基部の対辺にそれぞれ配置された第１の支持壁及び第２の支持壁を有する保持体と、
前記基部に面している前記第１の支持壁の表面に配置されるとともに、第１の方向における前記回路基板の往復移動を抑制するために、前記回路基板の第１の端部をクリップするように構成される第１の固定部品と、
前記第１の方向と異なる第２の方向における前記回路基板の往復移動を抑制するために、一方の先端部が前記第１の支持壁に面している第２の支持壁の表面に弾力的に接続され、他方の先端部が前記第１の端部の反対側の前記回路基板の第２の端部に対して接している第２の固定部品と、
前記基部に配置され、前記第１の支持壁と前記第２の支持壁との間に設置されるとともに、前記回路基板の底部を保持するように構成される保持部分を備える第３の固定部品とを備える、電子装置。
【請求項１２】
前記第１の固定部品が、前記第１の方向に沿うとともに相互に隣接して前記第１の支持壁に配置された第１の拘束部分及び第２の拘束部分を備え、前記回路基板の対向面が、前記第１の拘束部分及び前記第２の拘束部分によりそれぞれ保持されて圧迫される、請求項１１に記載の電子装置。
【請求項１３】
前記保持部分と前記基部との間の距離が、前記第１の拘束部分と前記基部との間の距離に実質的に等しい、請求項１２に記載の電子装置。
【請求項１４】
前記第２の固定部品が、相互に折り曲げられた第１の板状部分及び第２の板状部分を備え、前記第１の板状部分が、前記第２の支持壁と前記第２の板状部分との間に弾力的に配置され、前記第２の板状部分が、前記回路基板を斜めに圧迫するように構成される、請求項１１に記載の電子装置。
【請求項１５】
前記第３の固定部品が、前記保持部分の近くに隣接して配置されるフックユニットを更に備え、前記フックユニットが、前記回路基板と前記保持部分との相対移動を抑制するために、前記回路基板上に形成された開口部に対してフックされる、請求項１１に記載の電子装置。
【請求項１６】
前記フックユニットが、突起部と接触部とを備え、前記接触部が、前記保持部分に結合されており、前記突起部が、前記接触部の外側面に配置されるとともに、前記第２の固定部品の方に向いている、請求項１５に記載の電子装置。
【請求項１７】
前記回路基板上の前記開口部の内壁を前記接触部に対して当接させるように、前記第２の固定部品が前記回路基板を押す、請求項１６に記載の電子装置。
【請求項１８】
前記保持体が、前記第１の支持壁及び前記第２の支持壁とは異なる前記基部の辺に配置された第３の支持壁を更に備え、前記保持機構が、前記回路基板を前記第１の方向及び前記第２の方向とは異なる第３の方向に動かすために、一方の先端部が前記第３の支持壁に弾力的に接続され、他方の先端部が前記第１の端部及び前記第２の端部とは異なる前記回路基板の第３の端部に対して接している第４の固定部品を更に備える、請求項１１に記載の電子装置。
【請求項１９】
前記第４の固定部品が、弓形の板、平らな板、又は屈曲した板である、請求項１８に記載の電子装置。
【請求項２０】
前記第１の固定部品、前記第２の固定部品、前記第３の固定部品、及び前記第４の固定部品が、プレス打抜き加工により前記保持体に形成される、請求項１８に記載の電子装置。
【請求項２１】
前記筐体が上側カバー及び下側カバーを備え、前記回路基板及び前記保持機構が前記下側カバーの中に配置されるとともに、前記上側カバーが、前記回路基板及び前記保持機構を保護するために、前記下側カバーに対して着脱可能に取り付けられる、請求項１１に記載の電子装置。
【発明の詳細な説明】
【技術分野】
【０００１】
本開示は、回路基板保持機構、及び関連の電子装置に関し、より詳細には、回路基板を素早く固定するための保持機構、及び前記の保持機構を有する電子装置に関する。
【背景技術】
【０００２】
図１０を参照する。図１０は、従来技術における従来の回路基板保持機構６０である。従来の回路基板保持機構６０は、基部６２、台座６４、及び固定部品６６を含む。台座６４は、基部６２の角部の周囲又は角部に配置される。回路基板６８は基部６２の中に置かれるとともに、回路基板６８上の固定穴７０は台座６４に対して整列し、そして固定部品６６は、台座６４上に固定されるように固定穴７０を通り抜け、したがって、回路基板６８は、回路基板保持機構６０の中に固定されることができる。従来の回路基板保持機構６０は、外部にある道具により固定部品６６を取り付けるように、そして取り外すように、操作される。例えば、外部にある道具はねじ回しであり、固定部品６６はボルト又はネジである。固定穴７０が台座６４に対して整列しないか、又は固定部品６６が固定穴７０及び台座６４に正確に入らない限り、回路基板保持機構６０の取り付け／取り外しは難しく、回路基板保持機構６０の構成部品は損傷するかもしれない。したがって、従来の回路基板保持機構６０は、不自由な取り付け及び取り外し、不向きな結合力、及び不安定な品質という欠点を有している。
【先行技術文献】
【特許文献】
【０００３】
【特許文献１】米国特許出願公開第２０１０／０１９５３０４号明細書
【発明の概要】
【発明が解決しようとする課題】
【０００４】
本開示は、上記の欠点を解決するために、回路基板を素早く固定するための保持機構、及び前記の保持機構を有する電子装置を提供する。
【課題を解決するための手段】
【０００５】
権利請求された開示によれば、回路基板を保持するための保持機構は、保持体、第１の固定部品、第２の固定部品、及び第３の固定部品を含む。保持体は、基部、第１の支持壁、及び第２の支持壁を有し、第１の支持壁及び第２の支持壁は、基部の対辺にそれぞれ配置される。第１の固定部品は、基部に面している第１の支持壁の表面に配置されるとともに、第１の固定部品は、第１の方向における回路基板の往復移動を抑制するために、回路基板の第１の端部をクリップする（clip：挟む、つかむ）ように構成される。第１の方向と異なる第２の方向における回路基板の往復移動を抑制するために、第２の固定部品の一方の先端部は、第１の支持壁に面している第２の支持壁の表面に弾力的に接続され、第２の固定部品の他方の先端部は、第１の端部の反対側の回路基板の第２の端部に対して接している。第３の固定部品は、基部に配置され、第１の支持壁と第２の支持壁との間に設置されるとともに、第３の固定部品は、回路基板の底部を保持するように構成される保持部分を含む。
【０００６】
権利請求された開示によれば、第１の固定部品は、第１の方向に沿うとともに相互に隣接して第１の支持壁に配置された第１の拘束部分及び第２の拘束部分を含み、回路基板の対向面は、第１の拘束部分及び第２の拘束部分によりそれぞれ保持されて圧迫される。
【０００７】
権利請求された開示によれば、保持部分と基部との間の距離は、第１の拘束部分と基部との間の距離に実質的に等しい。
【０００８】
権利請求された開示によれば、第２の固定部品は、相互に折り曲げられた第１の板状部分及び第２の板状部分を含み、第１の板状部分は、第２の支持壁と第２の板状部分との間に弾力的に配置され、第２の板状部分は、回路基板を斜めに圧迫するように構成される。
【０００９】
権利請求された開示によれば、第３の固定部品は、保持部分の近くに隣接して配置されるフックユニットを更に含み、フックユニットは、回路基板と保持部分との相対移動を抑制するために、回路基板上に形成された開口部に対してフックされる（hooked：引っかけられる）。
【００１０】
権利請求された開示によれば、フックユニットは、突起部と接触部とを含み、接触部は、保持部分に結合されており、突起部は、接触部の外側面に配置されるとともに、第２の固定部品の方に向いている。
【００１１】
権利請求された開示によれば、回路基板上の開口部の内壁を接触部に対して当接させるように、第２の固定部品は回路基板を押す。
【００１２】
権利請求された開示によれば、保持体は、第１の支持壁及び第２の支持壁とは異なる基部の辺に配置された第３の支持壁を更に含み、保持機構は、第４の固定部品を更に含み、回路基板を第１の方向及び第２の方向とは異なる第３の方向に動かすために、第４の固定部品の一方の先端部は、第３の支持壁に弾力的に接続され、第４の固定部品の他方の先端部は、第１の端部及び第２の端部とは異なる回路基板の第３の端部に対して接している。
【００１３】
権利請求された開示によれば、第４の固定部品は、弓形の板、平らな板、又は屈曲した板である。
【００１４】
権利請求された開示によれば、第１の固定部品、第２の固定部品、第３の固定部品、及び第４の固定部品は、プレス打抜き加工により保持体に形成される。
【００１５】
権利請求された開示によれば、簡単取り付け機能を有する電子装置は、筐体と、回路基板と、筐体の中に回路基板を保持するための保持機構とを含む。保持機構は、保持体、第１の固定部品、第２の固定部品、及び第３の固定部品を含む。保持体は、回路基板を収容するために、筐体の中に配置される。保持体は、基部、第１の支持壁、及び第２の支持壁を有し、第１の支持壁及び第２の支持壁は、基部の対辺にそれぞれ配置される。第１の固定部品は、基部に面している第１の支持壁の表面に配置されるとともに、第１の固定部品は、第１の方向における回路基板の往復移動を抑制するために、回路基板の第１の端部をクリップするように構成される。第１の方向と異なる第２の方向における回路基板の往復移動を抑制するために、第２の固定部品の一方の先端部は、第１の支持壁に面している第２の支持壁の表面に弾力的に接続され、第２の固定部品の他方の先端部は、第１の端部の反対側の回路基板の第２の端部に対して接している。第３の固定部品は、基部に配置され、第１の支持壁と第２の支持壁との間に設置されるとともに、第３の固定部品は、回路基板の底部を保持するように構成される保持部分を含む。
【００１６】
権利請求された開示によれば、筐体は、上側カバー及び下側カバーを含み、回路基板及び保持機構は、下側カバーの中に配置されるとともに、上側カバーは、回路基板及び保持機構を保護するために、下側カバーに対して着脱可能に取り付けられる。
【００１７】
本開示の保持機構は、保持体の方々に、第１の固定部品、第２の固定部品、第３の固定部品、及び第４の固定部品を配置する。各固定部品の量は、１つ又は複数とすることができる。一実施例において、各固定部品は、保持体の対応する支持壁に対称的に配置された２つの部材を有している。本開示の保持機構は、はめ込む、かみ合わせる、及び締め付ける方法で、回路基板に対して取り付けられる。回路基板の取り付け及び取り外しは、外部にある道具なしで操作される。回路基板は、第１の固定部品、第２の固定部品、第３の固定部品、及び第４の固定部品の弾力性のある変形によって抑えつけられる。例えば、第１の方向における回路基板の上下の往復移動は、第１の固定部品により抑制され、第２の方向における回路基板の左右の往復移動は、第２の固定部品により抑制され、第３の固定部品は、第１の方向及び第２の方向における回路基板の往復移動を抑制するための補助ユニットであり、第３の方向における回路基板の前後の往復移動は、第４の固定部品により抑制される。本開示の保持機構は、たとえ回路基板が保持体に正確に入っていないとしても、保持体に回路基板を安定して設置するために、取り付け偏差を自動的に調整することができる。
【００１８】
本発明のこれら及び他の目的は、様々な図表及び図面において例示される好ましい実施例の下記の詳細な説明を読んだあとで、当業者に疑いなく明らかになるであろう。
【図面の簡単な説明】
【００１９】
【図１】本開示の実施例による電子装置の分解図である。
【図２】本開示の実施例による異なる視点における保持機構の図である。
【図３】本開示の実施例による異なる視点における保持機構の図である。
【図４】本開示の実施例による異なる視点における回路基板及び保持機構の組み立て図である。
【図５】本開示の実施例による異なる視点における回路基板及び保持機構の組み立て図である。
【図６】図４及び図５において示された部分Ａの別の視点における拡大された図である。
【図７】図４及び図５において示された部分Ｂの別の視点における拡大された図である。
【図８】図４及び図５において示された部分Ｃの別の視点における拡大された図である。
【図９】図４及び図５において示された部分Ｄの別の視点における拡大された図である。
【図１０】従来技術における従来の回路基板保持機構の図である。
【発明を実施するための形態】
【００２０】
図１を参照する。図１は、本開示の実施例による電子装置１０の分解図である。電子装置１０は、筐体１２、回路基板１４、及び保持機構１６を含む。電子装置１０は、オールインワン（ＡＩＯ）ディスプレイ、又はあらゆる電子製品であり得る。筐体１２は、上側カバー１８、下側カバー２０、及び台座２２を含む。下側カバー２０は、台座２２とつながっている。回路基板１４、及び保持機構１６は、下側カバー２０の中に配置され、上側カバー１８は、防水機能及び防塵機能に関して回路基板１４及び保持機構１６を保護するために、下側カバー２０に対して着脱可能に取り付けられる。電子装置１０は、テーブル上に設置するなど、台座２２により平面に立っていることができる。回路基板１４は、製品のメインボードであり得るとともに、筐体１２の中で、柔軟なケーブルにより、メモリ、ハードディスク、及びプロセッサのような他の電子部品に電気的に接続されている。保持機構１６は、回路基板１４が都合良く及び素早く取り付けられることができ、そして取り外されることができる、簡単取り付け機能を提供する。
【００２１】
図２及び図３を参照する。図２及び図３は、それぞれ、本開示の実施例による異なる始点における保持機構１６の図である。保持機構１６は、保持体２４、第１の固定部品２６、第２の固定部品２８、第３の固定部品３０、及び第４の固定部品３２を含む。保持体２４は、主として基部３４、及び複数の支持壁から構成されている。支持壁の量は、基部３４又は回路基板１４の形状に従って設計される。例えば、基部３４は矩形の形状であり、保持体２４は第１の支持壁３６、第２の支持壁３８、第３の支持壁４０、及び第４の支持壁４２を含むが、それに限定されない。当該実施例において、第１の支持壁３６及び第２の支持壁３８は、基部３４の一方の対辺にそれぞれ配置され、第３の支持壁４０及び第４の支持壁４２は、基部３４のもう一方の対辺にそれぞれ配置される。４つの支持壁の間に形成された矩形の空間は、回路基板１４を収容するために使用され得る。
【００２２】
図２において示されるように、第１の固定部品２６は、基部３４に面する第１の支持壁３６の内側表面に配置される。第１の固定部品２６は、第１の方向Ｄ１（Ｚ軸方向）において相互に隣接して第１の支持壁３６に配置された第１の拘束部分４４及び第２の拘束部分４６を含む。第１の拘束部分４４は、回路基板１４を保持するために利用され、第２の拘束部分４６は、回路基板１４を圧迫するために利用される。したがって、第１の拘束部分４４と第２の拘束部分４６との間にすき間が形成され、回路基板１４の第１の端部１４１がすき間に入り、回路基板１４は、第１の固定部品２６によりフックされることができる。図３において示されるように、第２の固定部品２８は、相互に折り曲げられた第１の板状部分４８及び第２の板状部分５０を含む。第１の板状部分４８は、第２の支持壁３８と第２の板状部分５０との間に弾力的に配置される。第２の固定部品２８の一方の先端部（それは第１の板状部分４８を表す）は、第１の支持壁３６に面している第２の支持壁３８の内側表面に弾力的に接続され、第２の固定部品２８の他方の先端部（それは第２の板状部分５０を表す）は、第１の端部１４１の反対側の回路基板１４の第２の端部１４２を斜めに圧迫するように構成される。第２の固定部品２８は、回路基板１４を第２の方向Ｄ２（Ｘ軸方向）に動かし、回路基板１４は、第１の拘束部分４４と第２の拘束部分４６との間のすき間に押し込まれることができる。
【００２３】
図３において示されるように、第３の固定部品３０は、基部３４に配置され、第１の支持壁３６と第２の支持壁３８との間に、そして好ましくは第２の支持壁３８の近くに設置される。第３の固定部品３０は、保持部分５２、及びフックユニット５４を含む。保持部分５２は、基部３４から上向きに伸びるとともに、保持部分５２の保持表面５２ｓと基部３４との間の距離は、第１の拘束部分４４の拘束表面４４ｓと基部３４との間の距離に実質的に等しい。保持部分５２、及び第１の拘束部分４４は、それぞれ、回路基板１４の底部の異なる位置を支持し、回路基板１４、及び基部３４は、平行に配置されることができる。フックユニット５４は、保持部分５２の近くに隣接して配置され、主として突起部５６、及び接触部５８から構成されている。接触部５８の底部は、保持部分５２に結合されている。突起部５６は、接触部５８の上部の外側面に配置されるとともに、第２の固定部品２８の方に向いており、回路基板１４上に形成された開口部１４５をクリップするために利用される。図２及び図３において示されるように、回路基板１４を第３の方向Ｄ３（Ｙ軸方向）に押すために、第４の固定部品３２の一方の先端部は、第３の支持壁４０に弾力的に接続され、第４の固定部品３２の他方の先端部は、第１の端部１４１及び第２の端部１４２とは異なる回路基板１４の第３の端部１４３に対して接している。
【００２４】
回路基板１４の第４の端部１４４に対して当接させるように、保持機構１６は、任意に第４の固定部品３２を第４の支持壁４２に配置することができる、ということが言及されるべきである。第３の支持壁４０及び第４の支持壁４２に配置される複数の第４の固定部品３２は、安定した固定性能のために、左右相称に（bilaterally）回路基板１４をクリップすることができる。第４の固定部品３２の形状は、図２及び図３において示される弓形の板、弓形の板の変形である平らな板、又は第２の固定部品２８と類似しているかもしれない屈曲した板として設計されることができる。回路基板１４をクリップするために、弾力性のある変形を利用するあらゆる構造が、本開示における第２の固定部品２８及び／又は第４の固定部品３２の範囲に属するとともに、詳細な説明は、簡素化のためにここでは省略される。さらに、保持体２４は、通常金属素材（例えば鉄など）で作られる。第１の固定部品２６、第２の固定部品２８、第３の固定部品３０、及び第４の固定部品３２は、弾力性のある変形が可能な特性と安い製造コストの長所を提供するプレス打抜き加工により、保持体２４に形成される。
【００２５】
図４から図９を参照する。図４及び図５は、本開示の実施例による異なる視点における回路基板１４及び保持機構１６の組み立て図である。図６は、図４及び図５において示された部分Ａの別の視点における拡大された図である。図７は、図４及び図５において示された部分Ｂの別の視点における拡大された図である。図８は、図４及び図５において示された部分Ｃの別の視点における拡大された図である。図９は、図４及び図５において示された部分Ｄの別の視点における拡大された図である。図６において示されるように、第１の拘束部分４４及び第２の拘束部分４６は、第１の方向Ｄ１に沿って第１の支持壁３６に配置されるとともに、回路基板１４の対向面は、第１の拘束部分４４及び第２の拘束部分４６によりそれぞれ保持されて圧迫され、第１の方向Ｄ１における回路基板１４の往復移動は、第１の固定部品２６によって抑制されることができる。第１の拘束部分４４及び第２の拘束部分４６は、プレス打抜き加工により第１の支持壁３６上に形成された弓形の構造であるが、しかし、それに限定されない。
【００２６】
図７において示されるように、第１の板状部分４８と第２の板状部分５０との間に形成される角度は、９０度を超えており、第１の板状部分４８と第２の板状部分５０との間の境界は、回路基板１４の上側に位置している。第２の固定部品２８は、斜めの接触方法で回路基板１４を圧迫することができ、第２の方向Ｄ２において回路基板１４が第１の固定部品２６から分離されることを防ぐために、第２の固定部品２８の弾力性のある回復力は、第１の固定部品２６の２つの拘束部分の間のすき間に入るように、回路基板１４を押す。回路基板１４が第２の固定部品２８から上方へ動かされて分離されることを防ぐために、第２の板状部分５０は、回路基板１４を下方に圧迫する。図５及び図８において示されるように、フックユニット５４は開口部１４５を通り抜け、（図２及び図３において例示される）開口部１４５の内壁１４５ｓは接触部５８に当接することができ、さらに第２の固定部品２８が回路基板１４を第２の方向Ｄ２に押す。第２の固定部品２８の弾力性のある回復力のために、回路基板１４の一部分は、第２の固定部品２８と第３の固定部品３０との間でしっかりとフックされることができ、したがって、第２の方向Ｄ２における回路基板１４の移動は抑制される。突起部５６は回路基板１４を圧迫し、回路基板１４は、フックユニット５４の拘束により、保持部分５２から第１の方向Ｄ１に分離されることができない。図９において示されるように、回路基板１４が第３の方向Ｄ３に偶発的に移動することを避けるために、第４の固定部品３２は、第３の端部１４３及び／又は第４の端部１４４を通して回路基板１４を横方向に押す。第４の固定部品３２は、任意に利用される補助の部品である。
【００２７】
回路基板１４を保持機構１６に取り付けるために、回路基板１４の第１の端部１４１が第１の固定部品２６に斜めに入り、それから、回路基板１４の第２の端部１４２が、回路基板１４の開口部１４５を第３の固定部品３０のフックユニット５４上に配置するように降ろされる。回路基板１４は、回路基板１４の第２の端部１４２を用いて第２の固定部品２８の弾力性のある変形を生み出すために手動で圧迫されることができ、回路基板１４は、第１の板状部分４８と第２の板状部分５０との間の境界の下側に移動することができ、回路基板１４は、第２の固定部品２８の弾力性のある回復力により、第１の固定部品２６及び第３の固定部品３０と、しっかりとかみ合うことができる。一方、回路基板１４を保持機構１６の中にしっかりと配置するために、第４の固定部品３２は、回路基板１４の第３の端部１４３及び／又は第４の端部１４４を横方向に圧迫する。回路基板１４を保持機構１６から取り外すために、第２の固定部品２８が、回路基板１４の第２の端部１４２を持ち上げるために手動で圧迫され、第２の端部１４２が、構造上の干渉作用の除去のために、第２の固定部品２８を横断して移動する。回路基板１４が、第３の固定部品３０及び第４の固定部品３２の拘束から持ち上げられて分離されると同時に、回路基板１４を保持機構１６から完全に取り外すために、回路基板１４の第１の端部１４１が、第１の固定部品２６から斜めに引き抜かれることができる。
【００２８】
結論として、本開示の保持機構は、保持体の方々に、第１の固定部品、第２の固定部品、第３の固定部品、及び第４の固定部品を配置する。各固定部品の量は、１つ又は複数とすることができる。一実施例において、各固定部品は、保持体の対応する支持壁に対称的に配置された２つの部材を有している。従来技術と比較すると、本開示の保持機構は、はめ込む、かみ合わせる、及び締め付ける方法で、回路基板に対して取り付けられる。回路基板の取り付け及び取り外しは、外部にある道具なしで、手動で操作される。回路基板は、第１の固定部品、第２の固定部品、第３の固定部品、及び第４の固定部品の弾力性のある変形によって抑えつけられる。例えば、第１の方向における回路基板の上下の往復移動は、第１の固定部品により抑制され、第２の方向における回路基板の左右の往復移動は、第２の固定部品により抑制され、第３の固定部品は、第１の方向及び第２の方向における回路基板の往復移動を抑制するための補助ユニットであり、第３の方向における回路基板の前後の往復移動は、第４の固定部品により抑制される。本開示の保持機構は、たとえ回路基板が保持体に正確に入っていないとしても、保持体に回路基板を安定して設置するために、取り付け偏差を自動的に調整することができる。
【００２９】
当業者は、本開示の教示を保持しながら装置及び方法の多くの修正及び変更が行われ得ることに容易に気づくことになる。したがって、上記の開示は、添付された特許請求の範囲の境界及び範囲によってのみ限定されると解釈されるべきである。
【符号の説明】
【００３０】
１０    電子装置
１２    筐体
１４    回路基板
１６    保持機構
１８    上側カバー
２０    下側カバー
２２    台座
２４    保持体
２６    第１の固定部品
２８    第２の固定部品
３０    第３の固定部品
３２    第４の固定部品
３４    基部
３６    第１の支持壁
３８    第２の支持壁
４０    第３の支持壁
４２    第４の支持壁
４４  第１の拘束部分
４４ｓ    拘束表面
４６    第２の拘束部分
４８    第１の板状部分
５０    第２の板状部分
５２    保持部分
５２ｓ    保持表面
５４    フックユニット
５６    突起部
５８    接触部
６０    回路基板保持機構
６２    基部
６４    台座
６６    固定部品
６８    回路基板
７０    固定穴
１４１    第１の端部
１４２    第２の端部
１４３    第３の端部
１４４    第４の端部
１４５    開口部
１４５ｓ    内壁
【図１】
2016149519.tif 000003
【図２】
2016149519.tif 000004
【図３】
2016149519.tif 000005
【図４】
2016149519.tif 000006
【図５】
2016149519.tif 000007
【図６】
2016149519.tif 000008
【図７】
2016149519.tif 000009
【図８】
2016149519.tif 000010
【図９】
2016149519.tif 000011
【図１０】
2016149519.tif 000012